(57)【要約】【課題】プラントの保守作業において、短時間で容易にアイソレーション作業の計画立案を実現でき、更に業務の省力化と精度向上が図ることができる保守作業計画支援方法およびシステムを提供する。【解決手段】プラントの保守作業時、ソフトアイソレーション検討のための保守作業支援方法において、ＩＢＤ（インターロックブロック線図）からソフトロジック図を参照するために、ＩＢＤ（インターロックブロック線図）上にアイソレーション可能箇所を設定し、アイソレーション可能箇所の論理状態を決定する対象プラントからの入力信号を特定し、入力信号を記載したソフトロジック図のロジックシート番号を特定し、ロジックシート番号と対象プラントからの入力信号名とから、複数のソフトロジック図の中から該当するソフトロジック図を抽出してパソコンＰＣの画面上に識別表示する。【選択図】図１
2011096029.tif 000002
【特許請求の範囲】
【請求項１】
対象プラントからの入力信号の接続関係を示した論理回路を表す複数のＩＢＤ（インターロックブロック線図）と、対象プラントからの物理的な信号を表している複数のソフトロジック図と、該ソフトロジック図に記載の情報と同じ情報をキー情報として有しており、対象プラント内の機器ごとにシーケンス制御の動作過程と、機器相互の接続状態を示す複数のＥＣＷＤ（展開接続図）とを用いて、パソコンＰＣの画面上にこれら図面を表示してプラントの保守作業実施前に行うアイソレーション事前検討のための保守作業計画支援方法において、
前記ＩＢＤ（インターロックブロック線図）から前記ソフトロジック図を参照するために、前記ＩＢＤ（インターロックブロック線図）上にアイソレーション可能箇所を設定し、当該アイソレーション可能箇所の論理状態を決定する対象プラントからの入力信号を特定し、当該入力信号を記載した前記ソフトロジック図のロジックシート番号を特定し、該ロジックシート番号と前記対象プラントからの入力信号名とから、前記複数のソフトロジック図の中から該当するソフトロジック図を抽出して前記パソコンＰＣの画面上に識別表示することを特徴とする保守作業計画支援方法。
【請求項２】
第１項記載の保守作業計画支援方法において、
前記の抽出された該当するソフトロジック図に記載されている前記キー情報から、前記複数のＥＣＷＤ（展開接続図）の中から該当するＥＣＷＤ（展開接続図）を抽出して前記パソコンＰＣの画面上に識別表示することを特徴とする保守作業計画支援方法。
【請求項３】
第２項記載の保守作業計画支援方法において、
前記ＩＢＤ（インターロックブロック線図）上に設定されるアイソレーション可能箇所は複数とされ、アイソレーション可能箇所ごとに逐次ソフトロジック図、ＥＣＷＤ（展開接続図）が参照されて前記パソコンＰＣの画面上に表示されることを特徴とする保守作業計画支援方法。
【請求項４】
第３項または第４項記載の保守作業計画支援方法において、
前記ＩＢＤ（インターロックブロック線図）から、前記逐次ソフトロジック図、前記ＥＣＷＤ（展開接続図）を参照した結果を、前記ＩＢＤ（インターロックブロック線図）を表示しているパソコンＰＣの画面画面上に反映することを特徴とする保守作業計画支援方法。
【請求項５】
第１項記載の保守作業計画支援方法において、
前記ＩＢＤ（インターロックブロック線図）を表示するパソコンＰＣの画面画面上に、アイソレーション可能箇所、当該アイソレーション可能箇所の論理状態を決定する対象プラントからの入力信号、当該入力信号を記載した前記ソフトロジック図のロジックシート番号を表示し、前記アイソレーション可能箇所を指定することにより、前記複数のソフトロジック図の中から該当するソフトロジック図を抽出して前記パソコンＰＣの画面上に識別表示することを特徴とする保守作業計画支援方法。
【請求項６】
対象プラントからの入力信号の接続関係を示した論理回路を表す複数のＩＢＤ（インターロックブロック線図）と、対象プラントからの物理的な信号を表している複数のソフトロジック図と、該ソフトロジック図に記載の情報と同じ情報をキー情報として有しており、対象プラント内の機器ごとにシーケンス制御の動作過程と、機器相互の接続状態を示す複数のＥＣＷＤ（展開接続図）とを用いて、パソコンＰＣの画面上にこれら図面を表示してプラントの保守作業実施前に行うアイソレーション事前検討のための保守作業計画支援システムにおいて、
ソフトロジック範囲とアイソレーション箇所から前記ＩＢＤ（インターロックブロック線図）に附加情報を附加する図面処理手段と、該ＩＢＤ附加情報の属性テーブルを持つことによって前記ＩＢＤ（インターロックブロック線図）面から前記の他の図面へのリンクを実現する図面間リンク手段と、アイソレーション対象信号を含めた前記ＩＢＤ（インターロックブロック線図）面を検索、選択する図面検索選択手段と、図面上予め追加した前記アイソレーション可能箇所からアイソレーション箇所を設定する設定手段と、設定された前記アイソレーション可能箇所に明示したソフトロジック図シート番号とＰＩ／Ｏ（プロセス入出力装置）信号に基づいて、関連する前記ソフトロジック図、前記ＥＣＷＤ（展開接続図）へ辿っていくアイソレーション箇所追跡手段と、前記追跡手段で追跡した必要な図面情報を対象アイソレーション箇所データとして保存するデータ保存手段と、該保存手段で作成されたアイソレーション箇所データをソフトロジックアイソレーション装置へ提供するデータ提供手段とを備えることを特徴とする保守作業計画支援システム。
【発明の詳細な説明】
【技術分野】
【０００１】
本発明は、プラントの保守・点検時などに特定の機器を隔離する操作のために使用するアイソレーション計画の作成を支援する方法及びシステムに関する。
【背景技術】
【０００２】
プラントの運転装置や監視装置などの設備・機器に対して、保守、点検作業を行なう場合、安全のために対象機器（例えば、バルブ、ポンプ、モータなど）を機械的、電気的に停止状態とし、操作できないようにプラントの対象部分を一時的に隔離することはアイソレーションと呼ばれる。
【０００３】
アイソレーションには、ハードアイソレーションとソフトアイソレーションの二つの形態がある。装置（弁やポンプなど）のスイッチに「操作禁止札」を掛け、あるいは実際回路の配線上でリフト、ジャンパの作業を行なうのはハードアイソレーションと呼ばれる。対象機器の運転停止ロジックをコントローラのソフトウエアで実行させることは、ソフトアイソレーションと呼ばれる。
【０００４】
コントローラを使用する後者のソフトアイソレーションによれば、アイソレーション作業内容を自動的にコントローラへ反映することができると共に、コントローラで現在のアイソレーション状態を確認できるため、現場の各エリアに行かずに中央制御室で作業が行なえるという効果がある。このように、ソフトアイソレーション作業の事前検討は、コントローラへの登録が自動的に行なわれるため、ハードアイソレーションよりも作業効率が良くなると思われがちであるが、現実には多くの時間と手間がかかっている。
【０００５】
ハードアイソレーションとソフトアイソレーションとでは、アイソレーション作業の事前検討段階で使用する図面や手順が相違する。図２に示すように、ハードアイソレーションを検討するためには、単線結線図、Ｐ＆ＩＤ（配管計装線図）及びＥＣＷＤ（展開接続図）を使用する。一方、ソフトアイソレーションを検討するときには、ＩＢＤ（インターロックブロック線図：ＩＮＴＥＲＲＯＣＫ  ＢＬＯＣＫ  ＤＩＡＧＲＡＭ）、ＥＣＷＤ（展開接続図：ＥＬＥＭＥＮＴＡＲＹ  ＣＯＮＴＲＯＬ  ＷＩＲＩＮＧ  ＤＩＡＧＲＡＭ）、ソフトロジック図を使用する。
【０００６】
しかるところ例えば原子力発電所の場合、アイソレーション検討に使用する図面枚数は、ＩＢＤ（インターロックブロック線図）が数千枚、ソフトロジック図が数万枚、ＥＣＷＤ（展開接続図）が約１万枚にのぼる。
【０００７】
このため、図面間の取り合いが複雑であり、アイソレーション作業リスト作成の時点でハードアイソレーションより多くの図面を使用するため、時間と手間がかかっている。このようにアイソレーション検討するときには，膨大な図面の閲覧や検討に要する時間が増加し、またトラブル対応の際には迅速のアイソレーション検討ができない可能性もある。
【０００８】
このように、現状のソフトアイソレーション検討においては、数千枚のＩＢＤ（インターロックブロック線図）、数万枚のソフトロジック図、約１万枚のＥＣＷＤ（展開接続図）などの膨大な図面から、特定箇所のアイソレーション検討業務に使用するための関係図面を調査し、特定することが必須である。
【０００９】
この点に関し、従来公知の特許文１では、Ｐ＆ＩＤ図面等、物理的なＣＡＤ画面上に書かれてある機器情報と、各種図面のシート番号の関連付けを利用して、自動検索し、隔離範囲を図面上で決定することを提案している。
【先行技術文献】
【特許文献】
【００１０】
【特許文献１】特開２００３−２０２９２０号「保守管理システム、方法及びプログラム」
【発明の概要】
【発明が解決しようとする課題】
【００１１】
然しながら、図２に示すようにソフトアイソレーション検討時に用いる論理的な信号を表しているＩＢＤ（インターロックブロック線図）と、物理的な信号を表しているソフトロジック図及びＥＣＷＤ（展開接続図）の間には、関連情報がないため、現状のままではＣＡＤ画面での自動検索を実現することが難しい。
【００１２】
また、ソフトアイソレーション検討業務を行なう時、現状ではＩＢＤ（インターロックブロック線図）の図面上でアイソレーションを掛けたい箇所に記載されている文字の情報に基づいて関連するソフトロジック図、ＰＩ／Ｏ（プロセス入出力装置）信号テーブルやＥＣＷＤ（展開接続図）を物理的な関連情報を検討しながら探していくしか有効な手法がないのが実情である。
【００１３】
このように、人間の手作業で多種の図面を多岐に亘りアイソレーション検討し、データ作成を行なうことは、非常に時間と手間がかかり、効率が悪い。
【課題を解決するための手段】
【００１４】
本発明では、対象プラントからの入力信号の接続関係を示した論理回路を表す複数のＩＢＤ（インターロックブロック線図）と、対象プラントからの物理的な信号を表している複数のソフトロジック図と、ソフトロジック図に記載の情報と同じ情報をキー情報として有しており、対象プラント内の機器ごとにシーケンス制御の動作過程と、機器相互の接続状態を示す複数のＥＣＷＤ（展開接続図）とを用いて、パソコンＰＣの画面上にこれら図面を表示してプラントの保守作業実施前に行うアイソレーション事前検討のための保守作業計画支援方法において、ＩＢＤ（インターロックブロック線図）からソフトロジック図を参照するために、ＩＢＤ（インターロックブロック線図）上にアイソレーション可能箇所を設定し、当該アイソレーション可能箇所の論理状態を決定する対象プラントからの入力信号を特定し、当該入力信号を記載したソフトロジック図のロジックシート番号を特定し、ロジックシート番号と対象プラントからの入力信号名とから、複数のソフトロジック図の中から該当するソフトロジック図を抽出して前記パソコンＰＣの画面上に識別表示する。
【００１５】
また、抽出された該当するソフトロジック図に記載されているキー情報から、複数のＥＣＷＤ（展開接続図）の中から該当するＥＣＷＤ（展開接続図）を抽出してパソコンＰＣの画面上に識別表示してもよい。
【００１６】
また、ＩＢＤ（インターロックブロック線図）上に設定されるアイソレーション可能箇所は複数とされ、アイソレーション可能箇所ごとに逐次ソフトロジック図、ＥＣＷＤ（展開接続図）が参照されてパソコンＰＣの画面上に表示してもよい。
【００１７】
また、ＩＢＤ（インターロックブロック線図）から、逐次ソフトロジック図、ＥＣＷＤ（展開接続図）を参照した結果を、ＩＢＤ（インターロックブロック線図）を表示しているパソコンＰＣの画面画面上に反映してもよい。
【００１８】
また、ＩＢＤ（インターロックブロック線図）を表示するパソコンＰＣの画面画面上に、アイソレーション可能箇所、当該アイソレーション可能箇所の論理状態を決定する対象プラントからの入力信号、当該入力信号を記載したソフトロジック図のロジックシート番号を表示し、アイソレーション可能箇所を指定することにより、複数のソフトロジック図の中から該当するソフトロジック図を抽出してパソコンＰＣの画面上に識別表示してもよい。
【００１９】
また、本発明においては、対象プラントからの入力信号の接続関係を示した論理回路を表す複数のＩＢＤ（インターロックブロック線図）と、対象プラントからの物理的な信号を表している複数のソフトロジック図と、該ソフトロジック図に記載の情報と同じ情報をキー情報として有しており、対象プラント内の機器ごとにシーケンス制御の動作過程と、機器相互の接続状態を示す複数のＥＣＷＤ（展開接続図）とを用いて、パソコンＰＣの画面上にこれら図面を表示してプラントの保守作業実施前に行うアイソレーション事前検討のための保守作業計画支援システムにおいて、ソフトロジック範囲とアイソレーション箇所からＩＢＤ（インターロックブロック線図）に附加情報を附加する図面処理手段と、ＩＢＤ附加情報の属性テーブルを持つことによってＩＢＤ（インターロックブロック線図）面から他の図面へのリンクを実現する図面間リンク手段と、アイソレーション対象信号を含めたＩＢＤ（インターロックブロック線図）面を検索、選択する図面検索選択手段と、図面上予め追加した前記アイソレーション可能箇所からアイソレーション箇所を設定する設定手段と、設定された前記アイソレーション可能箇所に明示したソフトロジック図シート番号とＰＩ／Ｏ（プロセス入出力装置）信号に基づいて、関連するソフトロジック図、ＥＣＷＤ（展開接続図）へ辿っていくアイソレーション箇所追跡手段と、追跡手段で追跡した必要な図面情報を対象アイソレーション箇所データとして保存するデータ保存手段と、保存手段で作成されたアイソレーション箇所データをソフトロジックアイソレーション装置へ提供するデータ提供手段とを備える。
【発明の効果】
【００２０】
発明によれば、短時間で容易にアイソレーション作業の計画立案を実現でき、更に業務の省力化と精度向上を図った保守作業計画支援方法及びシステムを提供することができる。
【００２１】
また、アイソレーション検討において、従来の物理的なＣＡＤ画面に記載された対象機器情報と図面番号との繋がりを利用することにより、自動検索し、隔離範囲の決定ができる技術と異なり、もともと直接のリンク情報がない論理的なＣＡＤ図面と物理的なＣＡＤ図面の間にリンク情報を追加することにより、多種図面を渡り、迅速の図面検索を実現することができる。
【００２２】
さらに、予め図面上にあらゆるパターンのアイソレーション情報を提供し、ユーザが業務内容に応じて、その中から容易に選択・確認できるような図面のアイソレーション検討方法を提供することができる。
【図面の簡単な説明】
【００２３】
【図１】本発明のアイソレーション事前検討時の図面参照経緯を示す図。
【図２】アイソレーション作業の事前検討段階で使用する図面を説明するための図。
【図３】属性テーブルを説明するための図。
【図４】ＩＢＤ（インターロックブロック線図）の一例を示す図。
【図５】図４回路に、ソフトロジック図の参照を可能とするために必要なキー情報として、ＩＢＤ付加情報を記載した図。
【図６】ソフトロジック図の一例を示す図。
【図７】ソフトＰＩ／Ｏテーブル図の一例を示す図。
【図８】ＥＣＷＤシーケンス図の一例を示す図。
【図９】ＥＣＷＤ図の一例を示す図。
【図１０】本発明の保守作業計画支援システムの処理フローチャートを示す図。
【図１１】アイソレーションを実現するシステム構成概要図。
【図１２】図面間連携のキーとなる情報を一覧にした図。
【発明を実施するための形態】
【００２４】
以下、図面を参照して本発明の実施例について説明する。
【実施例】
【００２５】
本発明においては、ソフトアイソレーション事前検討を実行するに当り、ＩＢＤ（インターロックブロック線図）を基本とし、ソフトロジック図、ＥＣＷＤ（展開接続図）を逐次参照してアイソレーションに必要な情報を確認・収集し、その結果を元のＩＢＤ（インターロックブロック線図）に収束表示することで完結させる。
【００２６】
図２に示したようにＩＢＤ（インターロックブロック線図）と、ソフトロジック図やＥＣＷＤ（展開接続図）の間には、直接参照を可能とするキー情報はないが、ソフトロジック図とＥＣＷＤ（展開接続図）の間には参照関係がある。このことから本発明では、ＩＢＤ（インターロックブロック線図）とソフトロジック図の間にキー情報を新たに設定し、これを基にしてＥＣＷＤ（展開接続図）に参照、接続関係を構築する。
【００２７】
図１は、アイソレーション検討時の図面参照経緯を示す図である。ここでは、数千枚のＩＢＤ（インターロックブロック線図）と、数万枚のソフトロジック図と、約１万枚のＥＣＷＤ（展開接続図）を対象とする。先述のようにＩＢＤ（インターロックブロック線図）を基本とし、ソフトロジック図、ＥＣＷＤ（展開接続図）を参照するには、これらの間を有機的に接続して参照するためのキー情報が必要であるが、その詳細は後述することとし、ここでは参照経緯のみを説明する。
【００２８】
本発明ではこの中から、アイソレーションを計画している部分に関わる１つのＩＢＤ（インターロックブロック線図）３１に着目し、特定した１つのＩＢＤ（インターロックブロック線図）３１から、これに対応するソフトロジック図３２を参照する。また、ソフトロジック図３２から、ソフトＰＩ／Ｏテーブル図３３を参照する。次に、ソフトＰＩ／Ｏテーブル図３３からＥＣＷＤシーケンス図３４を参照し、更にここからＥＣＷＤ（展開接続図）３５を参照する。かかる経緯で参照された過程において得られた、あるいは確認された情報は、必要に応じて最終的に元のＩＢＤ（インターロックブロック線図）３１に反映される。
【００２９】
図２でも述べたように、ソフトロジック図３２と、ソフトＰＩ／Ｏテーブル図３３とＥＣＷＤシーケンス図３４とＥＣＷＤ（展開接続図）３５との間には、これらを逐次参照するための情報が存在するが、ＩＢＤ（インターロックブロック線図）３１とソフトロジック図３２を接続参照するためのキー情報として、本発明では図３の属性テーブルを事前に準備して備えている。
【００３０】
以下、図１内の各図の参照経緯、並びに各図での実施事項について具体事例を参照して説明する。なお、図１のＩＢＤ（インターロックブロック線図）３１の具体説明を図４、図５に、キー情報としての属性テーブルを図３に、ソフトロジック図３２の具体説明を図６に、ソフトＰＩ／Ｏテーブル図３３の具体説明を図７に、ＥＣＷＤシーケンス図３４の具体説明を図８に、ＥＣＷＤ（展開接続図）の具体説明を図９に、図面間連携のキーとなる情報を一覧にして図１２に示している。なお、以上の各図は、実際にはメモリ内に記録された情報を、プラントの保守要員がパソコンＰＣの画面で操作しながらアイソレーションデータを作成し、データベースに保存する。
【００３１】
以下、図１の各図における参照手順並びに作業内容について順を追って説明する。まず、ＩＢＤ（インターロックブロック線図）から説明すると、これは対象プラントの中の各設備から出力されたデジタル信号の接続関係を、論理的なアンド・オア（ＡＮＤ／ＯＲ）回路で表した図面である。図４には具体的な当初のアンド・オア（ＡＮＤ／ＯＲ）回路の一例を示す。この図４の当初回路に、ソフトロジック図３２の参照を可能とするために必要なキー情報として、ＩＢＤ付加情報を記載した図を図５に示す。
【００３２】
図４は、数千枚のＩＢＤ（インターロックブロック線図）の中で、ＮＥ６２（ＮＥ系列のシート６２の意味）なるシート番号を付与されたＩＢＤ（インターロックブロック線図）であり、この図でＯＲは論理和回路、３１０、３１１、３１２はＩＢＤ図面間取り合い情報である。
【００３３】
ここで、ＩＢＤ図面間取り合い情報とは、その上流側の論理回路が記載されている図面の所在地を示す情報のことであり、例えば、ＩＢＤ図面間取り合い情報３１０はＮＥ系列のシート３１の図面の座標Ａ２に上流側情報が記載されており、３１１は１４系列のシート１９の図面の座標Ａ２に上流側情報が記載されており、３１２はＥＫ系列のシートＮＣ３の図面の座標Ｏ１とシート１７の図面の座標Ｄ４に上流側情報が記載されていることを意味している。
【００３４】
図４に記載のＩＢＤ（インターロックブロック線図）３１は、数千枚のＩＢＤ（インターロックブロック線図）のなかのどれでも良いわけではない。この例では制御対象プラント内の具体的な操作端である出口弁Ａの開閉を決定する最終段のＩＢＤ（インターロックブロック線図）が選択されている。ソフトアイソレーション可能箇所を設定するときに、論理回路の末端部分（操作端の直前）とすることが有効だからである。この図では、論理和回路ＯＲ１の出力で出口弁Ａを全開し、論理和回路ＯＲ２の出力などで出口弁Ａを全閉する回路部分に着目している。
【００３５】
図４は、通常の使用においてパソコンＰＣの画面上に表示されたＩＢＤ画面の例であるが、ソフトアイソレーション事前検討を実行するときには、図５の表示に変更される。図５の表示は、ＩＢＤ付加情報を図４のＩＢＤ（インターロックブロック線図）上に付加したものである。ここで使用する付加情報は、「ソフトロジック範囲１１」、「ロジックシート番号１２」、「アイソレーション可能箇所」、「ＰＩ／Ｏ信号１４」である。
【００３６】
前記ＩＢＤ（インターロックブロック線図）附加情報中の要素の一つであるソフトロジック範囲１１は、ＩＢＤ（インターロックブロック線図）に記載された論理回路に関わっている物理的な信号入出力を表したソフトロジック画面上の系統範囲を示す要素である。図５では、図４のＩＢＤ（インターロックブロック線図）３１に対して１１Ａと１１Ｂの２つのソフトロジック範囲１１を設定した例を示す。パソコンＰＣの画面画面上では、ソフトロジック範囲１１は、例えば点線の四角形または多角形で囲まれた閉ループとし、且、閉ループと同じ色のコメント文字列（ＢＯＰ１とＢＯＰ２）を枠の内側に書かれたという形に設計する。コメント文字は、この系統範囲の系統名称を示す。
【００３７】
なお、ソフトロジック範囲１１は系統のことを表している。アイソレーション可能箇所の設定については、いくつかの考え方があるが、図の例ではアイソレーションを実現するために一番操作しやすい操作末端、例えば出口弁Ａに対して、いくつかの状態（全開あるいは全閉）を実現できる演算回路の出力側に設定する。
【００３８】
前記ＩＢＤ（インターロックブロック線図）附加情報中の要素の一つであるアイソレーション可能箇所は、前記ソフトロジック範囲１１Ａ、１１Ｂの中で設定される。図の例では、ソフトロジック範囲１１Ａの中で出口弁Ａの全開を指示するライン（論理和回路ＯＲ１の出力）上のｂ点と、同じく出口弁Ａの全閉を指示するライン上a点と、ソフトロジック範囲１１Ｂの中のc点を選択している。アイソレーション可能箇所は、パソコンＰＣの画面画面上では、信号ライン上に配置し、色付きの丸シンボル（図の例では黒丸）という形に設計する。
【００３９】
なお、アイソレーション可能箇所は、予め図面上アイソレーション可能となる全ての箇所に設定されている。ソフトアイソレーション事前検討を実行するときには、特定した１つのアイソレーション可能箇所ごとに接続関係を参照していくわけであるが、アイソレーションの可能性を逐次検討していくオペレータの立場からみると多くの可能性が提示されているほうが信頼性の面で有用である。従って、１０の選択肢が提示されても現実には最後の選択肢までチェックしなくても結果が出てしまうこともありうる。
【００４０】
本発明においては、上記の付加情報「ソフトロジック範囲１１」と「アイソレーション可能箇所」を図５のＩＢＤ（インターロックブロック線図）画面上に表示した上で、ソフトロジック図３２の参照を可能とするために必要なキー情報として、さらに「ＰＩ／Ｏ信号１４」「ロジックシート番号１２」を同図上に表記する。
【００４１】
この表示に際しては、図３の属性テーブルが参照される。属性テーブル２０１は、アイソレーション可能箇所１３ごとに作成されており、アイソレーション可能箇所に対応するソフトロジック図３２のロジックシート番号１２、この箇所での制御信号を決定するために使用されるＰＩ／Ｏ信号１４（制御対象であるプラントから入力されたプロセス信号の名称が記載されている）などが、定義属性２５として予め作成され記憶されている。なお、そのほかには、ソフトロジック図シート番号データ、ＰＩ／Ｏ（プロセス入出力装置）信号データなどを定義している。
【００４２】
定義属性２５のうち、ＰＩ／Ｏ信号１４についてみると、アイソレーション可能箇所が特定されたとき、この部分の論理を決定する上流側のＰＩ／Ｏ（プロセス入出力装置）信号が特定できる。例えばアイソレーション可能箇所b点の場合には、ＩＢＤ図面間取り合い情報３１０、３１２が参照されて、ＰＩ／Ｏ（プロセス入出力装置）信号14ｂとしてＢ１Ｌ０４０６−１６、Ｂ１Ｌ０４０６−２７、Ｂ１Ｌ０４０６−２８が抽出される。同様にアイソレーション可能箇所a点の場合には、ＩＢＤ図面間取り合い情報３１１などが参照されて、ＰＩ／Ｏ（プロセス入出力装置）信号１４aとしてＢ１Ｌ０４０６−１５、Ｂ１Ｌ０４０６−２９、Ｂ１Ｌ０４０６−３０が抽出される。さらに、アイソレーション可能箇所c点の場合には、論理和回路ＯＲ２の上流が参照されて、ＰＩ／Ｏ（プロセス入出力装置）信号１４cとしてＢ２Ｌ０３２６−２３が抽出される。これらのことから、アイソレーション可能箇所１３ごとにＰＩ／Ｏ（プロセス入出力装置）信号１４を対応付けて図３の属性テーブルが作成されていることが理解できる。図５には、ＰＩ／Ｏ（プロセス入出力装置）信号１４が、アイソレーション可能箇所１３ごとに纏めて表示される。
【００４３】
また、図３のアイソレーション可能箇所１３ごとの属性テーブル２０１には、ソフトロジック図３２の参照を可能とするために必要なキー情報としてソフトロジック図シート番号１２が予め作成され記憶されている。ここで、ソフトロジック図３２とは、出口弁Ａなどの操作端ごとに設けられた論理回路であり、例えば出口弁Ａの全開、全閉状態を自動制御により決定する論理回路を一つの単位としてシートを形成し、このシート上に出口弁Ａの全開、全閉を決定するＰＩ／Ｏ（プロセス入出力装置）信号１４を記載している。
【００４４】
図６は、ソフトロジック図３２の一例を示したものであり、ここでは、図４、図５の出口弁Ａの全開、全閉状態を自動制御により決定する論理回路に関与する全てのＰＩ／Ｏ（プロセス入出力装置）信号１４とその論理を「Ｂ１Ｌ１９３８」なるシート番号で統一して表示したものである。
【００４５】
本発明では、ソフトロジック図３２の以上のような作成基準に着目してアイソレーション可能箇所１３ごとの属性テーブル２０１にソフトロジック図シート番号１２を記載することで、ＩＢＤ（インターロックブロック線図）３１から、ソフトロジック図３２の参照を可能としている。なお、図５には属性テーブル２０１を参照してアイソレーション可能箇所ごとのソフトロジック図シート番号が表記される。図の例ではアイソレーション可能箇所aとbの位置でのソフトロジック図シート番号１２a、１２bとして、「Ｂ１Ｌ１９３８」なるシート番号が表示され、アイソレーション可能箇所cの位置でのソフトロジック図シート番号１２cとして、「Ｂ２Ｌ２９３５」なるシート番号が表示されていることが図面上で理解できる。
【００４６】
なお、以上の説明から明らかなように図３の複数の属性テーブル２０１のうち、ソフトアイソレーション可能箇所aに対応する属性テーブル２０１aの定義属性としては、ロジック図シート番号１２として「Ｂ１Ｌ１９３８」なるシート番号が記録され、ＰＩ／Ｏ信号１４としては「Ｂ１Ｌ０４０６−１５」、「Ｂ１Ｌ０４０６−２９」、「Ｂ１Ｌ０４０６−３０」が記録されることになる。
【００４７】
このようにして、図５のアイソレーション事前検討用のＩＢＤ（インターロックブロック線図）３１が準備され、ソフトロジック図３２との参照関係が設定されているわけであるが、実際の事前検討においては、最初に複数のＩＢＤ（インターロックブロック線図）３１の中から、特定の操作端を決定しこれに応じた１つのＩＢＤ（インターロックブロック線図）３１をパソコンＰＣの画面上に表示する。
【００４８】
このときのＩＢＤ（インターロックブロック線図）３１が例えば図５であり、次にオペレータは、ここに表示されたアイソレーション可能箇所から例えばa点を選択する。この選択により、a点は黒丸表示から白丸表示に変更されて、この点でのソフトアイソレーション事前検討に入ったことをオペレータに表示認識せしめる。と同時に、図３の属性テーブル２０１の中からa点に対応する属性テーブル２０１aが参照され、ロジック図シート番号として「Ｂ１Ｌ１９３８」が得られる。複数のソフトロジック図の中から、「Ｂ１Ｌ１９３８」に対応するソフトロジック図をパソコンＰＣの画面上に表示する。このときに抽出された画面が図６である。なお、パソコンＰＣの画面上で、図６は図５の上に重ね表示される。
【００４９】
抽出された図６のソフトロジック図は、ロジック図シート番号１２として「Ｂ１Ｌ１９３８」が画面上部に表記され、かつ出口弁Ａの全開、全閉に関与する全てのＰＩ／Ｏ（プロセス入出力装置）信号１４が論理回路上に表示されている。このＰＩ／Ｏ（プロセス入出力装置）信号１４のうち、オペレータがソフトアイソレーション事前検討のために選択したアイソレーション可能箇所a点に関連するＰＩ／Ｏ（プロセス入出力装置）信号「Ｂ１Ｌ０４０６−３０」と「Ｂ１Ｌ０４０６−１５」が、別色であるいはフリッカなどで識別表示されることにより、オペレータにソフトロジック図上での関連を視覚認識せしめる。
【００５０】
なお、ＰＩ／Ｏ（プロセス入出力装置）信号「Ｂ１Ｌ０４０６−３０」は、二つの部分から構成されており、その一つはＰＩ／Ｏテーブル番号「Ｂ１Ｌ０４０６」であり、「３０」は、一貫番号である。
【００５１】
図１において、ソフトロジックはソフトロジック図３２とソフトＰＩ／Ｏテーブル図３３から構成されていることを説明したが、ソフトロジック図３２をチェックしたオペレータは次にソフトＰＩ／Ｏテーブル図３３を参照する。このときには、ソフトロジック図３２上でアイソレーション可能箇所aとの関連が赤字などで明確に表示されているＰＩ／Ｏ信号のうち、前述のＰＩ／Ｏテーブル番号「Ｂ１Ｌ０４０６」を選択する。これにより、複数のソフトＰＩ／Ｏテーブル図３３の中からＰＩ／Ｏ信号のＰＩ／Ｏテーブル番号「Ｂ１Ｌ０４０６」で管理されるＰＩ／Ｏテーブル図３３が図７のように抽出されパソコンＰＣの画面上に表示される。
【００５２】
図７のＰＩ／Ｏテーブル図３３は、ＰＩ／Ｏ信号のＰＩ／Ｏテーブル番号「Ｂ１Ｌ０４０６」の表記が上部にされており、縦軸にＰＩ／Ｏ信号の一貫番号、横軸にＰＩ／Ｏ信号の属性として、信号名称、ＬＯＧＩＣ（論理回路名）、ＳＥＱ（シーケンス番号）、接続先、計器名称などが表示される。ここで、一貫番号とは、ソフトロジック図３２のＰＩ／Ｏ信号のＰＩ／Ｏテーブル番号「Ｂ１Ｌ０４０６」に続く番号を意味しており、該当の１５と３０の欄に、このＰＩ／Ｏ信号「Ｂ１Ｌ０４０６−１５」と「Ｂ１Ｌ０４０６−３０」の属性が表記されている。なお、これらの該当番号の欄の表記が、他の表記と区別して識別表示行なわれることはいうまでもない。
【００５３】
この表記によれば、ＰＩ／Ｏ信号「Ｂ１Ｌ０４０６−１５」とは、プラントから取り込むプロセス信号の名称がＸＸＸＸ（Ａ）で、ＬＯＧＩＣ（論理回路名：図６のソフトロジック図３２のロジック名称）が「Ｂ１Ｌ１９３８」で、ＳＥＱシーケンス番号が「ＤＮ３１９」などであることが記載されている。また、ＰＩ／Ｏ信号「Ｂ１Ｌ０４０６−３０」とは、プラントから取り込むプロセス信号の名称がＸＸＸＸ（Ｃ）で、ＬＯＧＩＣ（論理回路名：図６のソフトロジック図３２のロジック名称）が「Ｂ１Ｌ１９３８」で、ＳＥＱシーケンス番号が「ＤＮ３２０」などであることが記載されている。なお、そのほかの情報の記載もあるが、ここでの説明と直接関係がないので説明を省略している。
【００５４】
次にオペレータは、ＳＥＱシーケンス番号「ＤＮ３１９」と「ＤＮ３２０」を参考情報として、ＥＣＷＤシーケンス図をパソコンＰＣの画面上に表示させる。ここでＥＣＷＤとは、展開接続図のことであるが、これはシーケンス制御の動作過程を、その動作順序に従って平面的に展開したものであり、このうち機器や配電盤、ユニットなどの相互の接続状態までを示す目的で機器単位に描かれた接続図である。
【００５５】
図８は、このようにして抽出されたＥＣＷＤシーケンス図である。ＥＣＷＤが、上記の目的で構成された図であることから、図８の左側には、名称（図５のアイソレーション範囲１１Ａに付与された名称）、盤ナンバー（このＰＩ／Ｏ信号をプラントから取り込むときの各種の盤の識別番号）、ユニット名、スロット名、型式ＲＴＢなどとともに、図７のソフトＰＩ／Ｏテーブルとリンクするためのシート番号（Ｂ１Ｌ０４０６）が記載されている。また、図の右側には、上から制御対象機器（高圧ドレンポンプ（Ａ）ＨＰＤＰ（Ａ））、ＤＯ（ＤＩＧＩＴＡＬ  ＯＵＴＰＵＴ）のチャンネル番号（ＤやＥ：０から９までの数値と、ＡからＦまでの１６種類の数値、記号で表現）、端子番号（Ａ１４など）が、表示されている。
【００５６】
図８の場合には、太字の部分が識別表示され、例えば「ＤＮ３１９」では、チャンネル番号Ｅの端子番号Ａ１５とＢ１５が、「ＤＮ３２０」では、チャンネル番号Ｄの端子番号Ａ１４とＢ１４が識別表示されている。
【００５７】
次にオペレータは、図９のＥＣＷＤ図を参照すると、ここには膨大な展開接続図の中から、図８のＥＣＷＤシーケンス図で特定される部分が拡大表示される。
これは例えば、図８のＤＮ３１９のユニット番号（ＮＯＯ−Ｂ１−Ｒ６２−２）、ＤＮ３２０のユニット番号（ＮＯＯ−Ｂ１−Ｒ６２−４）を参照し、このユニット番号の回路部分が図９として表示される。ユニットＹ１はＤＮ３２０のユニット番号（ＮＯＯ−Ｂ１−Ｒ６２−４）に相当し、ユニットＹ２はＤＮ３１９のユニット番号（ＮＯＯ−Ｂ１−Ｒ６２−２）に相当しており、ユニットＹ１ではそのＤＯ（ＤＩＧＩＴＡＬ  ＯＵＴＰＵＴ）端子のうち、Ｂ１４とＡ１４が接続され、ユニットＹ２ではそのＤＯ（ＤＩＧＩＴＡＬ  ＯＵＴＰＵＴ）端子のうち、Ｂ１５とＡ１５が接続されていることがわかる。
【００５８】
この図９回路は、図５回路に記載されている出口弁Ａの開閉を行なうモータＭの操作回路を示している。モータＭはＲ相、Ｓ相、Ｔ相の三相電源で駆動されると共に、ユニット回路Ｙ１、Ｙ２によりその相順が決定されて正逆回転する。図９左側の枠内は、電源Ｒ相から分岐した電源回路の点１と、電源Ｔ相から分岐した電源回路の点３を意味する接点番号（１−３）、あるいは電源Ｒ相から分岐した電源回路の点２と、電源Ｔ相から分岐した電源回路の点３を意味する接点番号（２−３）が成立したときに、モータＭを全閉することを表している。
【００５９】
なお、接点番号（１−３）の成立はユニット回路Ｙ２により決定され、接点番号（２−３）の成立はユニット回路Ｙ１により決定される。これらは、いずれもモータＭを全閉する回路であり、図５のアイソレーション可能箇所aの信号の意味が出口弁Ａの全閉条件であったことを参照すれば、アイソレーション可能箇所aの上流側の２つの信号がユニット回路Ｙ１、Ｙ２に対応していることがわかる。
【００６０】
図９では、部分拡大して示しているが、対応する機器単位での展開接続図の対応画面を表示することにより、アイソレーション事前検討の結果がどうなるかをオペレータが確認することができる。
【００６１】
以上のようにして、パソコンＰＣの画面に表示される画面の連携を追う中で、オペレータは図５で指定したアイソレーション可能箇所に関連する各種の情報を一連のものとして得ることができ、最終的にＥＣＷＤ図上での結果を確認することができる。この結果は、オペレータの知見となり、必要に応じてデータベースに蓄積される。また、このアイソレーション可能箇所を指定し確認したのみでは十分な結果が得られないこともあるので、この場合には再度別のアイソレーション可能箇所を指定して上記と同じ過程を繰り返し、所望の結果が得られるまで実行される。
【００６２】
なお、図５乃至図９を用いて各図面間の連携を説明してきたが、図１２に図面間連携のキーとなる情報を一覧にして示している。これによれば、ＩＢＤ（インターロックブロック線図）３１とソフトロジック図３２の連携のために、ロジックシート番号１２と、ＰＩ／Ｏ信号を新たに設定した。ソフトロジック図３２とソフトＰＩ／Ｏテーブル３３の連携のために、ＰＩ／Ｏ信号があるが、これはＰＩ／Ｏテーブル番号と一貫番号からなる。ソフトＰＩ／Ｏテーブル３３とＥＣＷＤシーケンス３４の連携のために、ＰＩ／Ｏテーブル番号とシーケンス番号が使用される。ＥＣＷＤシーケンス３４とＥＣＷＤ３５の連携のために、チャンネル番号と端子番号が利用されている。
【００６３】
今までの説明で明らかではあるが、図１０に本発明の保守作業計画支援システムの処理フローチャートを示す。アイソレーション事前検討を行なうときにはまず、図面検索・選択ステップＳ４１において、複数のＩＢＤ図面の中から、今回保守業務の対象とする部分を含むＩＢＤ図面を選択する。
【００６４】
ＩＢＤ図面を確定してから、図面上に提供されたアイソレーション可能箇所の中から、業務内容に応じて、アイソレーション箇所を選択するアイソレーション箇所設定ステップＳ４２に進む。なお、アイソレーション箇所が複数の場合もある。
【００６５】
設定したアイソレーション箇所を確認するために、アイソレーション箇所追跡ステップＳ４３で、ソフトロジック図、ＰＩ／Ｏ信号テーブル、ＥＣＷＤ図などの図面間のリンク情報に従い順次チェックしていく。
【００６６】
このようにステップＳ４４で、アイソレーションの箇所設定が完全であるかどうか、判断しながら、全てのアイソレーション箇所についての追跡、設定を繰り返す。
【００６７】
最後にステップＳ４５において、確定したアイソレーション箇所のデータを保存する。アイソレーション箇所データ保存ステップで保存したデータを、ステップＳ４６において、関連システム例えばソフトアイソレーション装置へ提供する。これは関連システムデータ提供ステップで実現する。
【００６８】
以上の説明で明らかなように、本発明の保守作業計画支援システムは、ソフトロジック範囲１１とアイソレーション箇所１３からＩＢＤ（インターロックブロック線図）附加情報を附加する図面処理手段と、上記ＩＢＤ附加情報の属性テーブル２０１を持つことによってＩＢＤ（インターロックブロック線図）面から他種図面へのリンクを実現できる図面間リンク手段（図１２）と、アイソレーション対象信号を含めたＩＢＤ（インターロックブロック線図）面を検索、選択する図面検索選択手段（図１０Ｓ４１）と、図面状予め追加した上記アイソレーション可能箇所からアイソレーション箇所を設定する設定手段Ｓ４２と、設定された上記アイソレーション可能箇所に明示したソフトロジック図シート番号とＰＩ／Ｏ（プロセス入出力装置）信号に基づいて、関連するソフトロジック図、ＰＩ／Ｏ（プロセス入出力装置）テーブル、ＥＣＷＤ（展開接続図）へ辿っていくアイソレーション箇所追跡手段Ｓ４３と、
上記追跡手段で追跡した必要な図面情報を対象アイソレーション箇所データとして保存するデータ保存手段Ｓ４４と、上記保存手段で作成されたアイソレーション箇所データをソフトロジックアイソレーション装置へ提供するデータ提供手段Ｓ４５とから構成される。
なお、上記のアイソレーション事前検討の作業は、現実の稼働中のプラントあるいは、これを制御中のコントローラを用いて行なうものではない。あくまでもオフラインでの検証を行なうための装置である。
【００６９】
図１１は、本発明の保守作業計画支援システムで作成されたソフトアイソレーションデータを使って、アイソレーションを実現するシステム構成の一例を示している。
【００７０】
図１１に示すように、本システムは、汎用パソコンアイソレーションデータ作成オフライン装置５１と、記録媒体５２と、ソフトロジックアイソレーションオンライン装置５３と、通信装置５８と、ＣＰＵコントローラ５４と、プロセス入出力装置５５と、遠隔入出力装置５６とを具備する。
【００７１】
汎用パソコンアイソレーションデータ作成オフライン装置５１に、本発明の保守作業計画支援システムを実装し、アイソレーション事前検討を実行し、その結果としてアイソレーションデータが作成される。オフライン装置５１からのアイソレーションデータの受け渡しは記録媒体５２で行なう。ソフトロジックアイソレーション装置５３は受け取ったアイソレーションデータを通信装置を経由して、コントローラＣＰＵ５４へ入力する。各コントローラはプロセス入出力装置５５と遠隔入出力装置５６を通して、アイソレーションを実施し、またはその解除を行なう。
【産業上の利用可能性】
【００７２】
本発明によれば、オフラインでアイソレーションの事前検討が可能であり、ＩＢＤ（インターロックブロック線図）に付加情報を与えることで他の各種図面間を有機的に結合してアイソレーション結果を検討することを可能にする。この結果、既設のプラントであっても、新設のプラントであっても容易にアイソレーションが行ないうる。
【符号の説明】
【００７３】
１２  ロジック図シート番号
１３  アイソレーション可能箇所
１４  ＰＩ／Ｏ信号
３１  ＩＢＤ（インターロックブロック線図）
３２  ソフトロジック図
３３  ソフトＰＩ／Ｏテーブル図
３４  ＥＣＷＤシーケンス図
３５  ＥＣＷＤ図面
３６  ＩＢＤ図面
２０１  属性テーブル
【図１】
2011096029.tif 000003
【図２】
2011096029.tif 000004
【図３】
2011096029.tif 000005
【図４】
2011096029.tif 000006
【図５】
2011096029.tif 000007
【図６】
2011096029.tif 000008
【図７】
2011096029.tif 000009
【図８】
2011096029.tif 000010
【図９】
2011096029.tif 000011
【図１０】
2011096029.tif 000012
【図１１】
2011096029.tif 000013
【図１２】
2011096029.tif 000014